(57)【特許請求の範囲】
【請求項１】
原稿受入れトレイから給送された原稿の表裏両面を順次読取る第１及び第２のプラテンと、原稿を載置セットして読取る第３のプラテンとを有する画像読取装置であって、
前記原稿受入れトレイ上の原稿を一枚ずつ繰出す給紙手段と、
前記給紙手段からの原稿の片面を読取る第１のプラテンと、
この第１のプラテンに隣接して配置され前記第１のプラテンからの原稿の裏面を読取る第２のプラテンと、
前記第１のプラテンに隣接して配置され原稿を載置セットする第３のプラテンと、
原稿に光を照射する光源を搭載し前記第１のプラテンと第３のプラテンに沿って移動自在のキャリッジと、
前記光源から原稿に照射した光を光電変換する第１のイメージセンサと、
前記第２のプラテンに距離を隔てて対向配置され、該第２のプラテン上の原稿からの光を光電変換する第２のイメージセンサとを備え、
前記各プラテンは、第３のプラテン、第１のプラテン、第２のプラテンの順に同一平面上に配置され、
前記原稿受入れトレイは前記第３のプラテンの上方に配置され、
原稿は該原稿受入れトレイから前記給紙手段で前記第１のプラテン、第２のプラテンの順に給送され、
前記キャリッジは前記第１のプラテンの読取位置と、前記第３のプラテンの読取位置との間で移動自在に構成され、
前記第２のイメージセンサは光源と光電変換素子とを含むユニットで構成され、この第２のイメージセンサは前記第１のプラテン上方に配置され、原稿を案内するバックアップガイドに一体的に取付けられていることを特徴とする画像読取装置。
【請求項２】
前記バックアップガイドは装置フレームに揺動自在に支持され、前記第２のイメージセンサはこのバックアップガイドに一体的に取付けられていることを特徴とする請求項１に記載の画像読取装置。
【請求項３】
前記第１のプラテンは、透明部材により形成され、前記第２のプラテンは、白色系の不透明部材によって形成されている請求項１に記載の画像読取装置。
【請求項４】
前記第２のイメージセンサと前記バックアップガイドとが上部ユニットに組み込まれ、前記第１のイメージセンサと前記第１のプラテンとが本体ユニット内に組み込まれ、前記上部ユニットは、前記本体ユニットに対して開閉自在となるようにヒンジ連結されていることを特徴とする請求項１又は２に記載の画像読取装置。
【請求項５】
前記第１のイメージセンサは、縮小光学系のイメージセンサにより構成され、前記第２のイメージセンサは、等倍光学系の密着型イメージセンサにより構成されている請求項１乃至４いずれかに記載の画像読取装置。
【請求項６】
前記上部ユニットまたは前記本体ユニットの一部に前記原稿の搬送通路を形成するためのスペーサを設けたことを特徴とする請求項３又は４に記載の画像読取装置。
【請求項７】
前記バックアップガイドには、前記第２のイメージセンサの自重とほぼ平衡し反対方向の力を付与する付勢手段が設けられていることを特徴とする請求項２に記載の画像読取装置。
【請求項８】
原稿の画像を読み取って電気信号に変換する画像読取装置を具備し、該画像読取装置から入力される前記電気信号に基づいて画像を形成する画像形成装置において、
前記画像読取装置は、原稿受入れトレイ上の原稿を一枚ずつ繰出す給紙手段と、
前記給紙手段からの原稿の片面を読取る第１のプラテンと、
この第１のプラテンに隣接して配置され前記第１のプラテンからの原稿の裏面を読取る第２のプラテンと、
前記第１のプラテンに隣接して配置され原稿を載置セットする第３のプラテンと、
原稿に光を照射する光源を搭載し前記第１のプラテンと第３のプラテンに沿って移動自在のキャリッジと、
前記光源から原稿に照射した光を光電変換する第１のイメージセンサと、
前記第２のプラテンに距離を隔てて対向配置され、該第２のプラテン上の原稿からの光を光電変換する第２のイメージセンサとを備え、
前記各プラテンは、第３のプラテン、第１のプラテン、第２のプラテンの順に同一平面上に配置され、
前記原稿受入れトレイは前記第３のプラテンの上方に配置され、原稿は該原稿受入れトレイから前記給紙手段で前記第１のプラテン、第２のプラテンの順に給送され、
前記キャリッジは前記第１のプラテンの読取位置と、前記第３のプラテンの読取位置との間で移動自在に構成され、
前記第２のイメージセンサは光源と光電変換素子とを含むユニットで構成され、この第２のイメージセンサは前記第１のプラテン上方に配置され、原稿を案内するバックアップガイドに一体的に取付けられていることを特徴とする画像形成装置。
【請求項９】
前記第１のイメージセンサは、縮小光学系のイメージセンサにより構成され、前記第２のイメージセンサは、等倍光学系の密着型イメージセンサにより構成される、請求項８に記載の画像形成装置。
【発明の詳細な説明】
【０００１】
【発明の属する技術分野】
本発明は、原稿画像をスキャニングしてこれを光学的に読み取って電子データを出力するための画像読取装置に関し、特に、通常ＡＤＦと称される自動原稿給紙装置によって原稿受入トレイから一枚づつ繰り出された原稿シートの表裏両面の画像を読み取るための２つの光学読取センサ（以下、「イメージセンサ」という）を具備する画像読取装置に関する。
【０００２】
【従来の技術】
通常スキャナと呼ばれる画像読取装置は、原稿の画像を光学的に読み取って電子データに変換して、これを外部のパーソナルコンピュータ、複写機、ファクシミリ装置等の画像形成装置に送信する。また、画像形成装置は、通常このような画像読取装置を具備する。
【０００３】
画像読取装置は、自動原稿給紙装置によって原稿受入トレイから一枚づつ繰り出されて搬送されてくる原稿シートの画像を読み取るためのイメージセンサを有する。さらに、最近の画像読取装置においては、自動原稿給紙装置によって一枚づつ繰り出される原稿シートを、２つの別個のイメージセンサを設けることにより、原稿シートをスイッチバック走行させることなく１回の原稿搬送パスで、原稿シートの表裏両面の画像を読み取るように構成された機能を有するものが提案されている。
【０００４】
このような原稿シートの表裏両面の画像を読み取るための２つのイメージセンサを具備する画像読取装置の例は、特開平１１−３２１６４号公報、特開平１０−１２６５６９号公報及び実開平２−１３７１６４号公報に開示されている。
【０００５】
ここで、特開平１１−３２１６４号公報に開示された画像読取装置は、原稿シートの表面画像を読み取る場合には、画像読取装置の本体ユニットに設けられたＣＣＤを用いた縮小光学系イメージセンサで読み取り、この縮小光学系イメージセンサを用いたイメージセンサの背面板に、原稿シートの裏面画像を読み取る等倍密着型のイメージセンサを一体的に装着した構成を提案している。
【０００６】
また、特開平１０−１２６５６９号公報に開示されたイメージセンサは、原稿シートの表面及び裏面とも等倍密着型イメージセンサで読み取る構成であり、表面画像を読み取る密着型イメージセンサを原稿搬送ユニットに配置し、裏面の画像を読み取る密着型イメージセンサを画像装置の本体ユニットに連結軸で連結されたスキャナ支持体に配置している。ここで、スキャナ支持体は、本体ユニットに対して、閉鎖位置ないしメンテナンス位置間で前記連結軸により揺動可能に支持され、原稿搬送ユニットは、スキャナ支持体に連結軸で連結され、この連結軸を中心として、搬送位置ないし開放位置で揺動可能に支持されている。このような構成で、所定の高さを有する原稿搬送路を形成するために、原稿の表面の画像を読み取る密着型イメージセンサと裏面の画像を読み取る密着型イメージセンサの搬送路上の取り付け位置を互いにずらせて配置し、搬送路のこれらの密着型イメージセンサに対向する面に加圧板を設け、この加圧板を搬送路方向に付勢する構成を採用している。
【０００７】
さらに、実開平２−１３７１６４号公報に開示された先行例も、前記特開平１０−１２６５６９号公報のものと同様に、原稿の表面の画像を読み取る密着型イメージセンサと裏面の画像を読み取る密着型イメージセンサの搬送路上の取り付け位置を互いにずらせて配置し、搬送路のこれらの密着型イメージセンサに対向する位置にプラテンローラを設けた構成を採用している。
【０００８】
【発明が解決しようとする課題】
しかしながら、自動原稿給紙装置によって搬送される原稿シートの表裏両面の画像が２つの別個のイメージセンサにより読取られる画像がいわゆるピンボケ状態にならずに精緻に読取られるためには、搬送原稿を設定された基準位置（走行位置）に対し焦点深度を維持する状態で搬送される必要がある。
【０００９】
特に、上記第１又は第２のイメージセンサの何れかが、等倍光学の密着型イメージセンサを用いる場合は、原稿面と当該読取装置の読取面間の離隔マージンは、ＣＣＤを用いた縮小光学系イメージセンサのそれと比較して小さいため、原稿シートとプラテン面との一定焦点深度内の安定走行性は充分に確保されなければならない。
【００１０】
さらに、画像読取装置をより軽量に、且つその外形をより小型にするためには、原稿シートの一方の面（表面）を読み取るための読取位置と、原稿シートの他方の面（裏面）を読み取るための読取位置を離隔させずに極力近接させる必要がある。何故ならば、ＡＤＦの搬送方向に隣接して両読取位置を配置すると、それに合わせて画像読取装置も原稿搬送方向に長くしなければならず装置全体が大きくなる。
【００１１】
このような観点において、上記の従来技術に係る画像読取装置は、いずれも、原稿シートの安定走行性を確保し、小型化し、且つ部品点数を削減して障害発生率の低減を実現するという点においていて不十分なものであった。
【００１２】
本発明は、従来の画像読取装置が有していたこのような種々の課題を解消するためになされたものであり、前記第１のプラテンと前記第２のプラテンのそれぞれの前記原稿シートを支持する面が同一平面を形成し、且つ、前記第２のイメージセンサと前記第１のイメージセンサに原稿シートを案内するバックアップガイドとを一体的に構成したものであって、原稿シートの表面及び裏面の原稿読取位置における原稿面とこれと対向するイメージセンサ側との走行スペースでの安定走行性を充分に確保しながら装置の長大化を回避し、原稿両面の精緻な画像データを得ると共に、構造が簡素で且つ小型形状の画像読取装置を提供することを目的とする。
【００１３】
【課題を解決するための手段】
本発明は上記課題を解決するため、原稿受入れトレイから給送された原稿の表裏両面を順次読取る第１及び第２のプラテンと、原稿を載置セットして読取る第３のプラテンとを有する装置において次の構成を採用したものである。前記原稿受入れトレイ上の原稿を一枚ずつ繰出す給紙手段と、前記給紙手段からの原稿の片面を読取る第１のプラテンと、この第１のプラテンに隣接して配置され前記第１のプラテンからの原稿の裏面を読取る第２のプラテンと、前記第１のプラテンに隣接して配置され原稿を載置セットする第３のプラテンと、原稿に光を照射する光源を搭載し前記第１のプラテンと第３のプラテンに沿って移動自在のキャリッジと、前記光源から原稿に照射した光を光電変換する第１のイメージセンサと、前記第２のプラテンに距離を隔てて対向配置され、該第２のプラテン上の原稿からの光を光電変換する第２のイメージセンサとを備える。そして前記各プラテンは、第３のプラテン、第１のプラテン、第２のプラテンの順に同一平面上に配置し、前記原稿受入れトレイは前記第３のプラテンの上方に配置して原稿を該原稿受入れトレイから前記給紙手段で前記第１のプラテン、第２のプラテンの順に給送する。また、前記キャリッジは前記第１のプラテンの読取位置と、前記第３のプラテンの読取位置との間で移動自在に構成し、前記第２のイメージセンサは光源と光電変換素子とを含むユニットで構成し、この第２のイメージセンサを前記バックアップガイドに一体的に取付ける。
【００１４】
本発明に係る画像形成装置は、このように構成したことにより、原稿シートがそれを支持するの２つのプラテン及びイメージセンサ面との間の安定走行性を確保して原稿両面の画像読取りを精度良く行うことができ、また、そのための部品点数が少なく抑え、組立ての容易性とコストの低減を可能にしたのである。さらに、原稿が同一平面上に形成された２つプラテン上を滑らかに走行することを可能とし、原稿シートの表面及び裏面の原稿読取位置における原稿面とイメージセンサとの間の走行スペースにおける、焦点深度を確保した安定走行性を充分に保証し、画像読取装置の水平方向の形状を小型に形成できるのである。
【００１５】
さらに、前記第２のイメージセンサと前記バックアップガイドとを一体的に構成して上部ユニットに組み込み、前記第１のイメージセンサと前記第１のプラテンとを本体ユニット内に組み込み、かつ、前記上部ユニットは、前記本体ユニットに対して開閉自在となるようにヒンジを用いて結合する、ことによって本装置の操作性の向上が図られる。ここで、原稿シートは、前記第１のプラテン側から前記第２のプラテン側に搬送されるが、前記第１のイメージセンサは、縮小光学系のイメージセンサにより構成され、前記第２のイメージセンサは、等倍光学系の密着型イメージセンサにより構成されている。
【００１６】
本発明においては、前記上部ユニットまたは前記本体ユニットの一部に前記原稿の搬送空間を確保するためのスペーサを設けることにより原稿シートの走行スペースを常に一定に確保することができる。さらに、前記上部ユニットの前記密着型イメージセンサの自重とほぼ平衡するその自重の反対方向の力を前記密着型イメージセンサに付与する付勢手段を設け、また、前記密着型イメージセンサの前記上部ユニットとの相対的位置を調整する調整手段を設けることにより、原稿シートの厚さに対応した走行スペースの調整機能を具備することを可能にしたのである。
【００１７】
本発明は、一方、上記のように構成された画像読取装置を具備し、該画像読取装置から入力される前記電気信号に基づいて画像を形成する画像形成装置を提供するものである。この画像形成装置は、前記第１のプラテンに隣接する原稿載置位置に置かれた原稿に接してこれを支持するための第３のプラテンを具備し、前記第１のイメージセンサが、当該第３のプラテンの下面を走行することにより載置された本等の厚手原稿の画像を読み取る機能を具備することとなる。
【００１８】
【発明の実施の形態】
以下、図面を参照しながら、本発明の実施の一形態を説明する。
【００１９】
図１は、本発明の第一の実施の形態の画像読取装置の全体的構成を示す縦断面図であり、図２は図1の要部拡大断面図であり、図３は図２のＩ−Ｉ方向から見た断面図を示し、図４はこの実施の形態の画像読取装置の上部ユニットを上側に開いた状態を表わした図１の手前方向から見た斜視図を示す。
【００２０】
図１乃至図４において、符号１は本体ユニットを示し、この本体ユニット１に上部ユニット２がヒンジ３３により開閉自在に取り付けられている。本体ユニット１の外側は筐体３により形成され、この筐体３の一側面に排紙トレイ４が設けられている。また、排紙トレイ４と反対側の筐体３の上面には、図１の如く上部ユニット２を上方に開放し厚手原稿等をその上に載置し読取るための透明なガラス板であるプラテン５（第３のプラテン）が組み込まれている。
【００２１】
また、このプラテン５を固定するための筐体３の一部である固定部３ｂのプラテン５の反対側には、原稿シートを１枚ずつ搬送してその画像を読み取るため原稿を支える透明なガラス板であるプラテン６（第１のプラテン）が、同じく原稿シートを１枚ずつ搬送してその画像を読み取るため原稿を支える不透明な白色部材で形成されたプラテン７（第２のプラテン）と一体的に組み合わされて固定されている。この固定部３ｂは、そのプラテン６側の端部をステップ状に切り欠いて該ステップ部にプラテン６を固定している。プラテン６とプラテン７とはほぼ同一の形状の長方形で、それぞれの厚みは厳密に等しく形成されている。また、筐体３の上面には、固定部３ｂ同様にプラテン７を固定する固定部３ａが形成されている。プラテン７のプラテン６側端部は、プラテン６の厚みに相当する切り欠き形成され、該切り欠きにプラテン６を係合し固定している。こうして、プラテン６及び７は、共に各一端がこの固定部３ａ，３ｂのに支持され、それら他端同士が固定され、かつ、それらの上面が段差なく連接されて同一平面を形成するよう筐体３に固着されている。
【００２２】
筐体３の排紙トレイ４側の端部には原稿を排紙するための一対の排紙ローラ８，３２が設けられている。その一の排紙ローラ８は図示しないモータにより駆動される。
【００２３】
筐体３の内部には、読み取られ縮小された画像を電気信号に変換する縮小光学系イメージセンサが収納されている。符号９，１０はこの縮小光学系イメージセンサの一部をなすキャリッジであり、図示しないモータにより駆動され互いに連動して所定の距離関係を保ちながら筐体３の内部を図の左右方向に移動する。キャリッジ９には、固定位置であるいは移動しながら原稿に照射光を投光するための光源１１と、該光源１１により投光された照射光の原稿からの反射光を受光して水平方向の反射光に方向を変換するための反射鏡１２とが搭載されている。キャリッジ１０には、反射鏡１２から反射された水平方向の反射光を垂直方向の光線に方向転換するための反射鏡１３と、該反射鏡１３により反射された垂直方向の反射光を前記反射鏡１２からの反射光と反対方向の水平方向反射光として方向転換する反射鏡１４とが搭載されている。符号１５は反射鏡１４からの反射光を受光して合焦させるためのレンズである。各キャリッジ９及び１０の光源１１及び反射鏡１２〜１４並びに集光レンズ１５が縮小光学系イメージセンサを形成する。符号１６は該集光レンズ１５により合焦された反射光を受光して電気信号に変換するＣＣＤから成るイメージセンサ部である。イメージセンサ部１６の出力端には図示しないリード線が接続され、該リード線を介して、前記原稿からの反射光が電気信号として変換された画像信号が図示しない複写機本体部ないしファックシミリ装置本体部等の電子機器の本体部に送信される。
【００２４】
上部ユニット２の外側は筐体１７及び上蓋２０により形成され、筐体１７の下面の前記本体ユニット１のプラテン５に対応する部分には、このプラテン５の上に載置された原稿を柔らかく押圧して固定するための弾力性を有する押圧部材１８が固着されている。押圧部材１８は、弾性変形可能な厚みのある多孔質層と、この多孔質層をその下面から覆う柔軟な表面レイヤーとで形成されている。符号１７ａは１枚ずつ搬送して画像を読み取るための原稿を積み重ねて載置するための原稿受入トレイである。原稿受入トレイ１７ａは前記プラテン６側に原稿が移動するようにプラテン６側を低くして傾斜を持たせて形成されている。この原稿台１７ａの傾斜面のプラテン６側の端部には、原稿台１７ａ上に載置された原稿を１枚ずつプラテン６上に供給するためこれを挟み込む一対の給紙ローラ１９，２２が互いに転接するよう設けられている。給紙ローラ１９の図の右側の筐体１７の一部は平坦部１７ｂを形成しており、この平坦部１７ｂと、後述する密着型イメージセンサを収納した上蓋２０との間には、原稿を１枚ずつ該イメージセンサに搬送するためこれを受け入れる開口２１が形成されている。この開口２１とプラテン６との中間部には、開口２１から挿入された原稿をプラテン６及び７上に搬送するため一対の給紙ローラ４０，２３が給紙ローラ１９，２２同様に設けられている。また、給紙ローラ１９、２２から前記排紙ローラ８までの間には、平坦部１７ｂを含んだ上下一対の板状体４５，４６を介して原稿の搬送通路２４が形成されている。給紙ローラの１９，４０は図示しないモータにより駆動される。
【００２５】
また、符号４８は、原稿受入トレイ１７ａから搬送される原稿シートを搬送通路２４内へ導入するための上部ガイドとその導入をストップさせるためのストッパーであり、読取りと給紙とのタイミングにより動作する。
【００２６】
上蓋２０内の前記密着型イメージセンサにおいては、搬送通路２４内を搬送されてくる原稿の裏面（上方に向いた面）に画像を読み取るための照射光を投光する光源２５と、該照射光と原稿シートの裏面からの反射光とを透過する保護ガラス２７と、該反射光を平行光とするためのセルホックレンズ２６と、該セルホックレンズの透過光を検出して電気信号に変換するラインイメージセンサ部２８と、回路基板３０とが、コンタクト・イメージ・センサ（以下ＣＩＳという）ユニット２９として一体的に固定されている。ＣＩＳには、プレート状のバックアップガイド３９が搬送方向前方の端部３９ａで一体固定され、ＣＩＳユニット２９を構成している。バックアップガイド３９は、上蓋２０の左右の側板４２から突出した一対の回動ピン３１に軸支されており（図３）、ＣＩＳユニット２９は回動ピン３１を支点として回動する。また、バックアップガイド３９の搬送方向後方の端部３９bには、これを下方に押圧する左右一対のバネ３４の各一端が取り付けられ（図３）、それらバネの他端は、左右の側板４２の上方から側方に突出したバネ支持部材４９に取りつけられている。図２に示すように、ＣＩＳユニット２９の排紙ローラ８，３２側の下面端部には、図３のようにその左右隅部にスペーサ３５が固着されており、バックアップガイド３９と保護ガラス２７からなるＣＩＳユニット２９の下面と、各プラテン６、７との間の搬送通路２４の間隔を各イメージセンサが合焦した画像を受光できる適度な間隔となるように調整している。
【００２７】
なお、本実施の形態の画像読取装置においては、原稿の位置や原稿上の画像の存否を検出する複数個の図示しないセンサが設けられており、さらに、該センサの検出信号に基づいて、上記図示しないモータの回転駆動動作、上記キャリッジ９，１０の移動動作、上記光源１１，２５の点滅制御及びイメージセンサ部１６，２８を制御するための制御回路（図示せず）が設けられている。
【００２８】
次に本実施の形態の動作について説明する。
【００２９】
原稿を１枚ずつ第１及び第２のイメージセンサに供給して複写ないし送信する場合には、これらの原稿を上部ユニット２の原稿受入トレイ１７ａ上に積み重ねて載置する。これらの原稿は、１枚ずつ開口２１を通って給紙ローラ対１９，２２により搬送通路２４内に挿入される。
【００３０】
原稿は、各給紙ローラ対１９，２２及び４０，２３により搬送路２４を通ってプラテン６上に供給される。このとき、本体ユニット１のキャリッジ９，１０はそれらが移動可能な位置のうち図１中で最も左側の停止位置にある。図示しない原稿センサからの検出信号により制御回路が、原稿がプラテン６上に到達したことを検知すると、制御回路はキャリッジ９，１０を停止位置に停止させたまま、光源１１から照射光を原稿に投光する。この照射光は透明なガラス板であるプラテン６を透過して、原稿の表面に照射され、原稿の表面で反射されて反射光となり、反射鏡１２，１３，１４を介して集光レンズ１５に入射する。集光レンズ１５に入射した反射光は、集光レンズ１５によりイメージセンサ部１６上に合焦して、イメージセンサ部１６上に原稿の表面側（下方に向いた面）の縮小画像が結像される。イメージセンサ部１６は、制御回路からの制御信号に基づき、この縮小画像に対応した電気信号を電子機器の本体部に送信し、電子機器本体部はこの電気信号に基づいて画像の再生ないしは送信を行う。
【００３１】
次に、原稿シートは、密着型イメージセンサに対向するプラテン７上に移行する。このとき、プラテン６とプラテン７とは一体的に構成されており、プラテン６の上面とプラテン７の上面とは同一の平面を形成しているので、原稿はプラテン６上からプラテン７上に滑らかに移行する。また、ＣＩＳユニット２９は、回動ピン３１を中心としてバネ３４により時計方向の回転モーメントを受け、他方自重により反時計方向の回転モーメントを受けている。これら各モーメントがバランスし、上蓋２０が上方に開放されたとき水平面よりもやや下方に垂下するようにされたスペーサ３５が、上蓋が閉じたときに本体ユニット１の上面に当接し、フローティング状態に維持される。こうして、ＣＩＳユニット２９と上部ユニット２との相対位置を調整する調整手段が形成される。原稿シートが、スペーサ３５により形成される保護ガラス板２７とプラテン７との間隔内に位置するとき、この間隔はイメージセンサ部２８上に合焦した画像を形成できる範囲内であるので、後述する原稿裏面の画像の読取動作においてシャープな画像を読み取ることができる。上蓋２０を閉じるとき、スペーサ３５がプラテン７の上面に当接し、ＣＩＳユニット２９とバックアップガイド３９を一体的にフローティングすることで搬送通路のギャップを規制している。
【００３２】
原稿がプラテン７上に到達すると、図示しないセンサからの検出信号により原稿がプラテン７上に移動したことを検出した制御回路は、光源２５に照射光を投光する。光源２５により投光された照射光は保護ガラス板２７を透過して原稿の裏面に照射され、この裏面で反射され反射光は保護ガラス板２７を再度透過しセルホックレンズ２６により平行光となってＣＣＤのイメージセンサ部２８に入射する。イメージセンサ部２８は、制御回路の制御により、この反射光に対応した電気信号を電子機器の本体部に出力し、電子機器の本体部は、この電気信号に基づいて、原稿の裏面の画像の再生ないし送信を行う。
【００３３】
表面と裏面の画像の読み取りが行われた原稿は、排紙ローラ対８，３２により上蓋２０から排出され、排紙トレイ４上に堆積される。
【００３４】
次に、原稿が第１のプラテン５上に載置され、複写ないしは送信動作の開始を指示する図示しない動作開始スイッチが押圧された場合には、図示しないセンサからの検出信号によりプラテン５上に原稿があることを検知した制御回路は、キャリッジ９，１０の移動を指示する制御信号を出力し、図示しないモータによりキャリッジ９，１０を図１の右方向に移動する。制御回路は、同時に光源１１に照射光の投光を指示する制御信号を送信し、光源１１はキャリッジ９上で図１の右方向に移動しながらプラテン５上の原稿面に照射光を投光し続ける。プラテン５は透明なガラス板であるので、光源１１からの照射光はプラテン５を透過し、プラテン５上の原稿面を照射する。原稿面からの反射光は、再度プラテン５を透過し、プラテン６からの透過光と同様に、反射鏡１２，１３，１４で反射され、集光レンズ１５を介して縮小画像としてイメージセンサ部１６上に結像する。イメージセンサ部１６からはこの縮小画像に対応する電気信号が出力され、電子機器により、この電気信号に基づいて、原稿の画像の再生ないし送信が行われる。
【００３５】
本実施の形態においては、原稿の表面の画像は縮小光学系イメージセンサを用いて読み取り、原稿の裏面の画像を読み取る場合に密着型イメージセンサを用いているので、原稿を精度良く読み取るための原稿面との離間マージンが小さい密着型イメージセンサのみで原稿の表面の画像も読み取る場合に比べて、原稿の上下方向の位置を規制するための部品点数が少なくて済み、組立ての容易性、コストの低減がもたらされる。また、原稿シートの裏面の画像を読み取る密着型イメージセンサを収納したＣＩＳユニット２９が自重によりプラテン７上に載置されるように構成されており、原稿シートが厚い場合にも精緻でブレのない画像が得られる。さらに、プラテン６とプラテン７とはそれらの間にローラや空間部を形成することなく密着して同一平面を形成するように一連に構成されているので、原稿がプラテン６とプラテン７上を滑らかに移行することが可能となると同時に、画像読み取り装置の水平方向の寸法を極めて小さく形成できる。さらに、原稿受入トレイ１７ａは、上部にイメージセンサの存在しないプラテン５の上方にあるので、垂直方向の形状も小型化できる。
【００３６】
図５及び図６は、本発明の画像読取装置の第二の実施の形態の要部断面図である。図５は、第一の実施の形態の図２に相当する縦断面図であり、図６は、図５のＩ−Ｉ線から見た断面視図であり第一の実施の形態の図３に相当する。図５及び図６において、図１ないし図４に示した構成要素と同一の構成要素には同一の番号を付し、その説明を省略する。
【００３７】
本実施の形態においては、バックアップガイド４７は、ＣＩＳユニット２９対してその搬送方向前後に亙って前方ガイド４７ａ及び後方ガイド４７ｂとして一体的に構成されている。このとき、後方ガイド４７ｂが原稿シートを案内するように機能する。また、各ガイド４７ａ及び４７ｂの上面の左右両端部には、内部に鉛直方向の長孔４３ａ及び４３ｂを有した案内部材４４ａ及び４４ｂを各２箇所立設され、各長孔４３ａ及び４３ｂには、上蓋２０の側板４２から側方に突出させた支持ピン２０ａ及び２０ｂが上下移動可能に挿入されている。また、後方の案内部材４４bとＣＩＳ２９との間には、後方ガイド４７ｂ上面との間に左右１対の引張バネ３６を保持するバネ保持部５３が側板４２から側方に固設されている。
【００３８】
この本実施の形態では、上蓋２０を開放したとき、押圧バネ３６は、ＣＩＳユニット２９の自重とバランスをとるようにＣＩＳユニット２９を上方に向けて引き上げ、ＣＩＳユニット２９が上部ユニット２の他面よりもやや下方に垂下するようフローティング状態に維持される。従って、ＣＩＳユニット２９と上部ユニット２との相対位置を調整することが可能となる。上部ユニット２は、第一の実施の態様と同様に、原稿シートの搬送に好適な搬送通路２４と走行スペースが形成される。この場合、引張バネ３６の位置は、ＣＩＳユニット２９に対する引上げ力を均等に作用させるために、前後に立設された案内部材４４ａ、４４ｂの中間位置に近いことが望ましい。
【００３９】
次に、走行スペースを確保するためのスペーサ３５の突出量を調整するための調整手段を図７及び図８に示す。図７では、スペーサ３５は、雄ネジ部材により作成されＣＩＳユニット２９の雌ネジと螺合している。雄ネジの頭部６０をドライバーで回転させて、上下に進退させることでその突出量を調節することができる。
【００４０】
図８は、ＣＩＳユニット２９の左右両側端下部に取り付けられた偏心カム６１で以ってスペーサ３５が形成されているので、回転することで、キャリッジ下方への突出量を容易に偏向することができる。
【００４１】
図７及び図８においては、同一厚さのプラテン６及び７の端部を互いに当接させて連接し、かつ、固定部３ａをプラテン６に向け延長し、両プラテンをそれらの底部から保持・固定している。
【００４２】
また、上部ユニット２に設けたスペーサ３５に替えて、本体ユニット側の同じ位置に、スペーサ３５を設けることもできる。
【００４３】
以上詳しく説明したように、本発明に係る画像読取装置は、原稿の一表面の画像を本体ユニットに収納された縮小光学系イメージセンサを用いて読み取り、原稿の他方の表面の画像を上部ユニットに収納された密着型イメージセンサを用いて読み取るため、原稿の両表面の画像を密着型イメージセンサで読み取る場合に比べて、原稿の上下方向の位置を規制するための部品点数が少なくて済み、組立ての容易性、コストの低減がもたらされる。また、縮小光学系イメージセンサを固定して画像を読み取るときのプラテンと密着型イメージセンサと対向するプラテンとをそれらの表面が同一平面を形成するような構成としたことにより、原稿シートが両プラテン上を滑らかに走行することが可能とするとともに、画像読み取り装置の水平方向の形状を極めて小さく形成できたのである。
【００４４】
このように、本発明は、原稿シートの表面及び裏面の原稿読取位置における原稿面とイメージセンサの読取り面との間の焦点深度を確保した走行性が充分に確保されるので、原稿両面の精緻な画像データを得ると共に、構造が簡素で且つ小型形状の画像読取装置を実現した。
【図面の簡単な説明】
【図１】  本発明の第一の実施の形態の画像読取装置の全体的構成を示す縦断面図である。
【図２】  図１に示した実施の形態の要部拡大断面図である。
【図３】  図２のＩ−Ｉ方向から見た断面図である。
【図４】  図１に示した実施の形態の画像読取装置の上部ユニットを上側に開いた状態を示す図１の手前から見た斜視図である。
【図５】  第二の実施の形態の画像読取装置の上部一体ユニットの要部断面図である。
【図６】  図５のＩ−Ｉ方向から見た断面図である。
【図７】  スペーサの突出量調節の一の例を示す断面図である。
【図８】  スペーサの突出量調節の他の一の例を示す断面図である。
【符号の説明】
１  本体ユニット
２  上部ユニット
５  プラテン（第３のプラテン）
６  プラテン（第１のプラテン）
７  プラテン（第２のプラテン）
９，１０  キャリッジ（縮小光学系イメージセンサ）
１１  光源（縮小光学系イメージセンサ）
１２，１３，１４  反射鏡（縮小光学系イメージセンサ）
１５  レンズ（縮小光学系イメージセンサ）
２０  上蓋
２０ａ，２０ｂ  支持ピン
２５  光源（密着型イメージセンサ）
２６  セルホックレンズ（密着型イメージセンサ）
２７  保護ガラス（密着型イメージセンサ）
２８  イメージセンサ部（密着型イメージセンサ）
２９  ＣＩＳユニット
３０  キャリッジ（密着型イメージセンサ）
３３  ヒンジ
３４，３６  バネ（調整手段）
３５  スペーサ
３９  バックアップガイド
４０ａ，４０ｂ  長孔（調整手段）
４２  側板
４３ａ，４３ｂ  長孔
４４ａ，４４ｂ  案内部材
６０  調整ネジ
６１  偏心カム
【図１】
0003645154.tif 000002
【図２】
0003645154.tif 000003
【図３】
0003645154.tif 000004
【図４】
0003645154.tif 000005
【図５】
0003645154.tif 000006
【図６】
0003645154.tif 000007
【図７】
0003645154.tif 000008
【図８】
0003645154.tif 000009